(57)【特許請求の範囲】
【請求項１】
つぎの事項（11）〜（16）により特定されるコンピューター情報処理の方法。
（11）インターネット上のアフィリエイトサーバーが、利用者の携帯端末、広告媒体サイト、広告主サイト、ＩＣカード読取装置（以下、Ｒ／Ｗ）と連携して実行するコンピューター情報処理の方法であること
（12）前記Ｒ／Ｗは、広告主指定場所に設置されていて、利用者の携帯端末に搭載された非接触式のＩＣカードと通信可能であること
（13）第１プロセスでは、携帯端末が広告掲載サイトにアクセスして広告バナーをクリックした際、携帯端末を広告主サイトにリダイレクトして広告主サイトから携帯端末に前記広告主指定場所に関する情報を送信させるととともに、前記携帯端末のＩＤ（以下、端末ＩＤ）を前記広告媒体サイトの識別子と前記広告主サイトの識別子およびアクセス日時と対応づけしたデータを第１プロセス記録として保存すること
（14）第２プロセスでは、前記Ｒ／Ｗが利用者の携帯端末のＩＣカードと通信して当該ＩＣカードのＩＤ（以下、カードＩＤ）を読み取った際、当該カードＩＤと当該Ｒ／ＷのＩＤ（以下、リーダＩＤ）とアクセス日時を対応づけしたデータを第２プロセス記録として保存するとともに、当該カードＩＤと当該リーダＩＤをパラメータとして付加してなる特定ＵＲＬを前記Ｒ／Ｗから前記携帯端末に送信させること
（15）第３プロセスでは、前記特定ＵＲＬを受信した携帯端末がその特定ＵＲＬにアクセスした際、当該携帯端末の端末ＩＤを前記カードＩＤおよび前記リーダＩＤとともに取得し、これら端末ＩＤとカードＩＤとリーダＩＤとアクセス日時を対応づけしたデータを第３プロセス記録として保存すること
（16）第４プロセスでは、第３プロセス記録と第２プロセス記録を照合し、カードＩＤとリーダＩＤの組み合わせが一致する記録が存在し、かつ、第３プロセス記録のアクセス日時のほうが新しい場合、その第３プロセス記録を妥当な第３プロセス記録として抽出し、この妥当な第３プロセス記録と第１プロセス記録を照合し、当該第３アクセス記録よりアクセス日時が古くて端末ＩＤが一致する第１プロセス記録が存在する場合、当該端末ＩＤの携帯端末の利用者が当該第１プロセス記録中の広告媒体サイトにて前記広告バナーをクリックした後に前記広告主指定場所に来場したものと判定し、この来場判定に基づいて前記広告媒体サイトに対する広告報酬量を更新すること
【請求項２】
第４プロセスでの、妥当な第３プロセス記録と第１プロセス記録との照合において、前記条件に適合する複数の第１アクセス記録が存在する場合、アクセス日時のもっとも新しい第１アクセス記録の広告媒体サイトを広告報酬量更新の対象とする
請求項１に記載のコンピューター情報処理の方法。
【請求項３】
第４プロセスでの、第３プロセス記録と第２プロセス記録との照合において、第３プロセス記録のアクセス日時より一定時間以上古いアクセス記録を有する第２プロセス記録は照合対象としない
請求項１または２に記載のコンピューター情報処理の方法。
【請求項４】
第２プロセスにおいて、前記特定ＵＲＬを前記アフィリエイトサーバーが作成して前記Ｒ／Ｗに送達する
請求項１〜３のいずれかに記載のコンピューター情報処理の方法。
【発明の詳細な説明】
【技術分野】
【０００１】
本発明は、携帯アフィリエイト・トラッキングシステムに関し、具体的には、非接触ＩＣカード搭載の携帯端末ユーザが、インターネット上のアフィリエイト広告（成功報酬型広告）に基づいて、店舗等の指定場所に来場したか否かを追跡・確認するシステムに関する。
【背景技術】
【０００２】
インターネット広告では、アフィリエイトと呼ばれる成功報酬型の広告が普及している。このアフィリエイトでは、たとえば個人が開設するブログなどの広告媒体サイト（パートナーサイトあるいは提携サイトとも呼ぶ）内に貼られている広告バナーをクリックしたユーザが、オンライン上での購買や登録などの所定のアクションに至った場合、これを広告の成功とみなして報酬（広告料）の対象とする。
【０００３】
このアフィリエイト広告システムでは、成功報酬の支払い対象となる広告媒体サイトを確定するため、広告バナーをクリックしたユーザのその後のアクションを追跡するプログラムいわゆるトラッキングシステムが開発されている（たとえば、特許文献１〜４参照）。
【０００４】
インターネック広告の対象（広告ターゲット）はインターネットアクセスが可能な通信端末のユーザであるが、最近は、インターネットへのアクセスが可能な携帯電話機やモバイル通信端末などの携帯端末が普及したことにより、その携帯端末のユーザを対象とするインターネット広告の重要性が増している。
【０００５】
機動性がある携帯端末のユーザには、オンライン上でのソフト的なアクションだけではなく、たとえば広告主が指定する店舗や展示場等に直接来場する物理的なアクションを期待できる可能性が高い。
【０００６】
そこで、その携帯端末ユーザを意識したインターネット広告では、広告媒体サイト内の広告バナーをクリックした携帯端末ユーザに対し、店舗等の指定場所への来場案内を行い、その案内を受けた携帯端末ユーザが指定場所に来場したことが所定手順によって確認できた場合に、その来場アクションの直接のきっかけとなった広告媒体サイトに対する広告報酬量を加算更新する携帯アフィリエイトシステムが提唱されている（たとえば、特許文献５）。
【特許文献１】特開２００１−１１７８４７号公報
【特許文献２】特開２００２−１１７３１８号公報
【特許文献３】特開２００２−１５７４９４号公報
【特許文献４】特許第３７９２７号公報
【特許文献５】特開２００８−２１３０３号公報
【発明の開示】
【発明が解決しようとする課題】
【０００７】
上述した携帯アフィリエイトシステムでは、広告媒体サイト内の広告バナーをクリックした携帯端末ユーザが店舗等に実際に来場したか否かを確認する来場確認が必要となる。この来場確認の手段として、たとえば特許文献５には、携帯端末に搭載されたＧＰＳ機能を利用することが提唱されている。
【０００８】
しかし、ＧＰＳ機能は地理的な位置確認には有用であるが、その地理的な位置確認だけでは、来場は必ずしも確認されない。たとえば来場確認すべき場所がショッピングモール内の特定の店舗あるいはコーナーであったような場合、ＧＰＳ機能から得られる情報だけで来場確認を行うことはできない。
【０００９】
来場を確認にするためには、ＧＰＳ機能による地理的位置確認に加えて、たとえば店舗にユニークなＱＲコードを設置し、このＱＲコードを携帯端末ユーザに撮影させ、その撮影データを端末ＩＤ（携帯端末の識別データ）と共に指定アドレスへメール送信させるといった手順が提案されている。
【００１０】
しかしながら、上述した来場確認の手順は、携帯端末ユーザ側に課せられる操作手順が概して煩雑であり、この煩雑さが携帯端末ユーザの来場意欲を損なう一因になるという問題が生じる。このような問題を回避するためには、携帯端末ユーザ側の操作手順をできるだけ簡便にすることが望まれるが、そうすると今度は、来場していないのに来場したかのように見せる偽装来場を排除するための識別精度が低下してしまうという背反が生じる。
【００１１】
本発明の目的は、携帯端末ユーザがインターネット上のアフィリエイト広告に基づいて店舗等の指定場所に来場したか否かを、比較的簡単なシステム構成でもって、ユーザ側の操作手順を煩雑にすることなく、高い識別精度で確認することができる携帯アフィリエイト・トラッキングシステムを提供することにある。
【００１２】
本発明の上記以外の目的および構成については、本明細書の記述および添付図面にてあきらかにする。
【課題を解決するための手段】
【００１３】
本発明は次のような解決手段を提供する。  
（１）インターネット上において、広告媒体サイト内の広告バナーが、インターネットに接続された非接触ＩＣカード搭載の携帯端末によってクリックされた際に、その携帯端末をその広告バナーに関連づけされた広告主サイトへ誘導して、その携帯端末ユーザに店舗等の指定場所への来場案内を行い、その案内を受けた携帯端末ユーザが指定場所に来場したことが所定手順によって確認できた場合に、広告主サイト、そのリンク元となった広告媒体サイト、および来場確認された携帯端末を関連づけて記録するとともに、この記録に基づいて広告媒体サイトに対する広告報酬量を更新する携帯アフィリエイト・トラッキングシステムであって、
広告媒体サイト内の広告バナーが上記携帯端末によってクリックされた際は、そのクリックを行った携帯端末のＩＤ（以下、端末ＩＤ）を広告媒体サイトおよび広告主と関連づけて記録する第１のプロセスを行い、
店舗等の指定場所に設置した非接触ＩＣカード読取装置（以下、Ｒ／Ｗ）が上記携帯端末に搭載の非接触ＩＣカード（以下、ＩＣカード）を読み取った場合は、その読み取ったＩＣカードのＩＤ（以下、カードＩＤ）とそのＩＣカードを読み取ったＲ／ＷのＩＤ（以下、リーダＩＤ）を、上記携帯端末から端末ＩＤを送信させるためのＵＲＬにパラメータとして付加してなる特定ＵＲＬを作成し、この特定ＵＲＬを上記Ｒ／Ｗを介して上記携帯端末に通知させる第２のプロセスを行い、
上記特定ＵＲＬを通知された携帯端末がその特定ＵＲＬにアクセスした際は、その携帯端末の端末ＩＤを上記カードＩＤおよび上記リーダＩＤとともに取得し、これらを関連づけて記録する第３のプロセスを行い、
上記第３のプロセスにてカードＩＤおよび上記リーダＩＤと関連づけられて記録された端末ＩＤと、上記第１のプロセスにて記録された端末ＩＤとを照合し、両プロセス間で合致する端末ＩＤが存在した場合に、第１のプロセスで広告バナーをクリックした携帯端末が指定場所に来場したと判定し、この来場判定に基づいて上記広告媒体サイトに対する広告報酬量を更新する第４のプロセスを行う、
ことを特徴とする携帯アフィリエイト・トラッキングシステム。
【００１４】
（２）上記手段（１）において、広告媒体サイト内の会員ＩＤが上記広告バナーにパラメータとして付与されていた場合、
上記第１のプロセスでは、広告バナーが上記携帯端末によってクリックされた際に、そのクリックを行った携帯端末の端末ＩＤを、広告媒体サイト、この広告媒体サイト内の会員ＩＤ、および広告主と関連づけて記録し、
上記第４のプロセスでは、上記来場判定に基づいて上記広告媒体サイト内の会員ＩＤに対する広告報酬量を更新する
ことを特徴とする携帯アフィリエイト・トラッキングシステム。
【００１５】
（３）上記手段（１）または（２）において、上記第３のプロセスにてカードＩＤと関連づけられた端末ＩＤと同じ端末ＩＤが、複数の広告媒体サイト上の広告バナーをそれぞれクリックしたことが第１のプロセスにて記録されていた場合は、第３のプロセスでの端末ＩＤの読み取り日時に最も近い日時で広告バナーがクリックされた広告媒体サイトを広告報酬量の加算対象とすることを特徴とする携帯アフィリエイト・トラッキングシステム。
【００１６】
（４）上記手段（１）〜（３）において、上記第３のプロセスにおける関連づけは、第２のプロセスにて読み取ったカードＩＤの読み取り日時に対して一定時間内に取得された端末ＩＤだけを対象にして行うことを特徴とする携帯アフィリエイト・トラッキングシステム。
【００１７】
（５）上記手段（１）〜（４）のいずれかにおいて、上記Ｒ／Ｗはイータネットに接続され、カードＩＤ等の読取データを、インターネットを介してサーバへ転送し、そのサーバ内のデータベースに記録させることを特徴とする携帯アフィリエイト・トラッキングシステム。
【００１８】
（６）上記手段（１）〜（５）のいずれかにおいて、上記Ｒ／Ｗはイータネットに接続され、カードＩＤ等の読取データを自己のリーダＩＤとともに、インターネットを介してサーバへ転送し、サーバは携帯端末から端末ＩＤを送信させるためのＵＲＬに、上記カードＩＤと上記リーダＩＤをパラメータとして付加した上記特定ＵＲＬを作成し、インターネットを介して上記Ｒ／Ｗへ返信することを特徴とする携帯アフィリエイト・トラッキングシステム。
【００１９】
（７）上記手段（１）〜（５）のいずれかにおいて、上記Ｒ／Ｗは、携帯端末から端末ＩＤを送信させるためのＵＲＬに、上記カードＩＤと上記リーダＩＤをパラメータとして付加した上記特定ＵＲＬを作成する手段を備えていることを特徴とする携帯アフィリエイト・トラッキングシステム。
【発明の効果】
【００２０】
携帯端末ユーザがインターネット上のアフィリエイト広告に基づいて店舗等の指定場所に来場したか否かを、比較的簡単なシステム構成でもって、ユーザ側の操作手順を煩雑にすることなく、高い識別精度で確認することが可能になる。
【００２１】
上記以外の作用／効果については、本明細書の記述および添付図面にてあきらかにする。
【発明を実施するための最良の形態】
【００２２】
図１は、本発明の一実施形態をなす携帯アフィリエイト・トラッキングシステムの概略構成をブロック図で示す。
【００２３】
同図に示すシステムは、インターネット２１へ接続機能と非接触ＩＣカード（Ｆｅｌｉｃａ（商標名）とも呼ばれる）１５を搭載した携帯端末１０を追跡対象とする携帯アフィリエイト・トラッキングシステムであって、アフィリエイトサーバ４０、広告主側ウェブサイト５１，５２、および非接触ＩＣカード読取装置（以下、Ｒ／Ｗ）６０などによって構築される。携帯端末１０には通話等の携帯端末機能１１に加えてインターネット・コンテンツを閲覧するためのブラウザ機能１２が搭載されている。
【００２４】
同図に示した携帯アフィリエイト・トラッキングシステムは、インターネット２１上において、広告媒体サイト（提携サイト）３１内の広告バナー３２が、インターネット２１に接続された非接触ＩＣカード搭載の携帯端末１０によってクリックされた際に、その携帯端末１０をその広告バナー３２に関連づけされた広告主サイト５１へ誘導（リダイレクト）して、その携帯端末ユーザに店舗等の指定場所への来場案内を行い、その案内を受けた携帯端末ユーザが指定場所に来場したことが所定手順によって確認できた場合に、広告主サイト５１、そのリンク元となった広告媒体サイト３１、および来場確認された携帯端末１０を関連づけて記録するとともに、この記録に基づいて広告媒体サイト３１に対する広告報酬量を加算更新する。
【００２５】
上記動作に際して、上記システムは、次のプロセスを実行する。  
第１のプロセス：広告媒体サイト３１内の広告バナー３２が携帯端末１０によってクリックされた際に、そのクリックを行った携帯端末１０のＩＤ（以下、端末ＩＤ）（ＩＤｍ）を広告媒体サイト３１および広告主と関連づけて記録する。
【００２６】
第２のプロセス：店舗等の指定場所に設置した非接触ＩＣカード読取装置（以下、Ｒ／Ｗ）６０が携帯端末１０に搭載の非接触ＩＣカード（以下、ＩＣカード）１５を読み取った場合は、その読み取ったＩＣカード１５のＩＤ（以下、カードＩＤ）（ＩＤｃ）とそのＩＣカード１５を読み取ったＲ／Ｗ６０のＩＤ（以下、リーダＩＤ）（ＩＤｒ）を、上記携帯端末１０から端末ＩＤ（ＩＤｍ）を送信させるためのＵＲＬにパラメータとして付加してなる特定ＵＲＬを作成し、この特定ＵＲＬを上記Ｒ／Ｗ６０を介して上記携帯端末１０に通知させる。
【００２７】
第３のプロセス：上記特定ＵＲＬを通知された携帯端末１０がその特定ＵＲＬにアクセスした際は、その携帯端末１０の端末ＩＤ（ＩＤｍ）を上記カードＩＤ（ＩＤｃ）および上記リーダＩＤ（ＩＤｒ）とともに取得し、これらを関連づけて記録する。
【００２８】
第４のプロセス：上記第３のプロセスにてカードＩＤ（ＩＤｃ）およびリーダＩＤ（ＩＤｒ）と関連づけられて記録された端末ＩＤ（ＩＤｍ）と、上記第１のプロセスにて記録された端末ＩＤ（ＩＤｍ）とを照合し、両プロセス間で合致する端末ＩＤが存在した場合に、第１のプロセスで広告バナーをクリックした携帯端末１０が指定場所に来場したと判定し、この来場判定に基づいて上記広告媒体サイト３１に対する広告報酬量を加算更新する。
【００２９】
図２は、図１に示したシステムの動作概要をフローチャート化して示す。以下、図２および図１を参照しながら説明する。まず、いずれかの広告媒体サイト３１において広告バナー３２がクリックされるイベントが発生すると、上記第１のプロセス（Ｐ１）が実行される。
【００３０】
この第１のプロセス（Ｐ１）では、クリックを行った携帯端末１０のＩＤ（ＩＤｍ）を取得するとともに、その携帯端末１０を、広告バナー３２に関連付けられている広告主サイトへリダイレクトさせる（Ｐ１１，Ｐ１２）。
【００３１】
このリダイレクトはアフィリエイトサーバ４０を介して行われる。アフィリエイトサーバ４０は、（１）携帯端末１０が広告バナー３２をクリックしたアクセス日時、（２）その携帯端末１０のＩＤ（ＩＤｍ）、（３）広告媒体サイト３１、（４）リダイレクト先（広告主）を相互に検索可能に紐付け（関連づけ）してデータベースＤＢ１に記録する（Ｐ１３，Ｐ４１）。
【００３２】
次に、いずれかのＲ／Ｗ６０が携帯端末１０のＩＣカード１５を非接触検出するというイベントが発生すると、上記第２のプロセス（Ｐ２）が実行される。
【００３３】
この第２のプロセス（Ｐ２）では、Ｒ／Ｗ６０が携帯端末１０のＩＣカード１５に近距離無線でアクセスすることにより、そのＩＣカード１５のカードＩＤ（ＩＤｃ）を読み取る。そして、そのカードＩＤ（ＩＤｃ）を、上記Ｒ／Ｗ６０のリーダＩＤ（ＩＤｒ）およびアクセス日時と共に記録させる（Ｐ２１）。この場合も各データ（ＩＤｒ，ＩＤｃ）は互いに紐付けされた状態で記録される。
【００３４】
さらに、上記記録データ（ＩＤｒ，ＩＤｃ）をアフィリエイトサーバ４０のデータベースＤＢ２に記録させるとともに、Ｒ／Ｗ６０からＩＣカード１５を介して携帯端末１０へ来場確認用の特定ＵＲＬを通知させる（Ｐ２２）。この通知はＷｅｂ−Ｔｏ機能を用いて行われる。特定ＵＲＬには、携帯端末１０から端末ＩＤ（ＩＤｍ）を上記記録データ（ＩＤｒ，ＩＤｃ）と共にサーバ４０へ送信させるためのパラメータが付与されている。
【００３５】
Ｒ／Ｗ６０から上記特定ＵＲＬを通知された携帯端末１０のユーザがその特定ＵＲＬへのアクセス操作を行うと、上記第３のプロセス（Ｐ３）が実行される。すなわち、携帯端末１０はアフィリエイトサーバ４０を介して、来場確認用のＷｅｂページ（広告主側サイト）５２へリダイレクトされる。
【００３６】
広告主側サイトである来場確認用Ｗｅｂページ５２は、リダイレクトされてきた携帯端末５２に対し、たとえば抽選などのイベント・コンテンツを提供するとともに、その携帯端末５２の端末ＩＤ（ＩＤｍ）をクリック操作で送信させる操作ガイドを行う。
【００３７】
この操作ガイドにしたがって携帯端末ユーザがクリック操作を行うことにより、アフィリエイトサーバ４０は、携帯端末１０の端末ＩＤ（ＩＤｍ）をカードＩＤ（ＩＤｃ）およびリーダＩＤ（ＩＤｒ）とともに取得することができる。この取得データ（ＩＤｍ，ＩＤｃ，ＩＤｒ）は相互に検索可能な状態でデータベースＤＢ２に記録する（Ｐ４２）。
【００３８】
上記第１〜第３のプロセスにより、データベースＤＢ１には、広告バナー３２をクリックした携帯端末１０の端末ＩＤ（ＩＤｍ）、広告媒体サイト３１、広告主（あるいはリダイレクト先）が互いに紐付けされて記録・格納される。
【００３９】
また、データベースＤＢ２には、店舗等の指定場所に来場してそこに設置されているＲ／Ｗ６０から読み取りアクセスされた携帯端末１０の端末ＩＤ（ＩＤｍ）、カードＩＤ（ＩＤｃ）およびリーダＩＤ（ＩＤｒ）が互いに紐付けされて記録・格納される。
【００４０】
したがって、データベースＤＢ１の端末ＩＤ（ＩＤｍ）とデータベースＤＢ２の端末ＩＤ（ＩＤｍ）を照合することにより、来場確認することができた携帯端末１０と、その来場確認に至った携帯端末１０がどこの広告媒体サイト（リンク元パートナーサイト）３１内の広告バナー３２をクリックしてきたかを個々に追跡して特定することができる（Ｐ５２）。これに基づき、広告媒体サイト３１に対する成功アクションデータを生成し、広告報酬量の加算更新を行うことができる（Ｐ５３）。
【００４１】
上記のように、ＩＣカード１５を搭載した携帯端末１０をＲ／Ｗ６０にかざす仕草と、Ｒ／Ｗ６０から通知された特定ＵＲＬへのアクセス操作だけでもって、店舗等の指定場所への来場確認を確実に行わせることができる。
【００４２】
ここで、携帯端末１０の端末ＩＤ（ＩＤｍ）とこの携帯端末１０に搭載されたＩＣカード１５のカードＩＤ（ＩＤｒ）は互いに独立したＩＤである。このため、上記システムによらずにカードＩＤ（ＩＤｃ）から端末ＩＤ（ＩＤｍ）を取得するためには、両ＩＤ（ＩＤｍ，ＩＤｃ）をあらかじめ紐付けしたデータベースが必要となる。
【００４３】
しかし、不特定多数の携帯端末に対してそのようなデータベースを用意することは現実に不可能である。これに対し、上述した本発明のシステムでは、そのようなデータベースを使用しなくても、不特定多数の携帯端末１０に対し、携帯端末１０ごとに端末ＩＤ（ＩＤｍ）とカードＩＤ（ＩＤｃ）を取得し、来場確認を的確に行うことができる。
【００４４】
これにより、携帯端末ユーザがインターネット上のアフィリエイト広告に基づいて店舗等の指定場所に来場したか否かを、比較的簡単なシステム構成でもって、ユーザ側の操作手順を煩雑にすることなく、高い識別精度で確認することができるようになる。
【００４５】
上記に加えて、ここで示す実施形態では、上記成功アクションデータの生成に際し、上記第３のプロセス（Ｐ３）にてカードＩＤと関連づけられた端末ＩＤ（ＩＤｍ）と同じ端末ＩＤ（ＩＤｍ）が、複数の広告媒体サイト３１上の広告バナー３２をそれぞれクリックしたことが第１のプロセス（Ｐ１）にて記録されていた場合に、第３のプロセスでの端末ＩＤの読み取り日時に最も近い日時で広告バナーがクリックされた広告媒体サイト３１を広告報酬量の加算対象とするようにしている。
【００４６】
これにより、携帯端末ユーザを来場させる上で最大のきっかけ要因となった広告媒体サイト３１を選別・特定し、広告報酬量の加算を適切に行うことができる。
【００４７】
さらに、ここで示す実施形態では、日時の比較により来場確認の妥当性判断（図２のＰ５１）を行っている。すなわち、上記第３のプロセス（Ｐ３）における関連づけは、第２のプロセス（Ｐ２）にて読み取ったカードＩＤ１５の読み取り日時に対して一定時間内に取得された端末ＩＤ（ＩＤｍ）だけを対象にして行うようにしている。
【００４８】
これにより、たとえば、Ｒ／Ｗ６０から通知された来場確認用の特定ＵＲＬが不正利用される可能性を効果的に低減させることができる。
【００４９】
図３は、上記システムに用いられるＲ／Ｗ６０の実施形態をブロック図で示す。  
同図に示すＲ／Ｗ６０は、ＩＣカード１５の非接触読取部６１と、インターネット２１を介してサーバ４０とデータのやりとりを行うためのウェブ・インターフェイス６３を備えている。
【００５０】
Ｒ／Ｗ６０は、カードＩＤ（ＩＤｃ）等の読取データを、インターネット２１を介してサーバ４０へ送信し、そのサーバ４０内のデータベースに記録させる。この場合、カードＩＤ（ＩＤｃ）は、自己のリーダＩＤ（ＩＤｒ）とともにサーバ４０へ送信する。
【００５１】
サーバ４０は、携帯端末１０から端末ＩＤ（ＩＤｍ）を送信させるためのＵＲＬに、上記カードＩＤ（ＩＤｃ）と上記リーダＩＤ（ＩＤｒ）をパラメータとして付加した特定ＵＲＬを作成し、インターネット２１を介して上記Ｒ／Ｗ６０へ返信する。
【００５２】
Ｒ／Ｗ６０とサーバ４０間でのデータのやりとりは、適当な暗号化手段を介して行う。
【００５３】
上記Ｒ／Ｗ６０は、少なくともＩＣカード１５の非接触読み取り機能とネット通信機能を備えた汎用タイプのもので良く、これにより、システムを低コストに構成することが可能になる。
【００５４】
また、サーバ４０は、携帯端末１０から取得されたカードＩＤ（ＩＤｃ）の記録と、Ｒ／Ｗ６０から取得されたカードＩＤ（ＩＤｃ）の記録との突き合わせることで、それぞれの記録データの正当性判断を行うことが可能になる。
【００５５】
さらに、この場合は、上記ＵＲＬがサーバ４０で生成されるので、そのサーバ４０で生成されていないＵＲＬが携帯端末１０によってアクセス使用された場合に、その使用を無効と判定する処理が可能になる。
【００５６】
上記により、来場確認の識別精度をさらに高めることができる。
【００５７】
以上、本発明をその代表的な実施例に基づいて説明したが、本発明は上述した以外にも種々の態様が可能である。
【００５８】
たとえば、上述した実施形態では、広告媒体サイトごとに広告報酬量の更新を行うが、以下に述べるように、広告媒体サイト内の会員ＩＤごとに広告報酬量の更新を行うようにしてもよい。
【００５９】
すなわち、上記広告バナーに広告媒体サイト内の会員ＩＤがパラメータとして付与されていた場合、上記第１と第２のプロセスをそれぞれ次のように行う。  
第１のプロセス：広告バナーが上記携帯端末によってクリックされた際に、そのクリックを行った携帯端末の端末ＩＤを、広告媒体サイト、この広告媒体サイト内の会員ＩＤ、および広告主と関連づけて記録する。  
第２のプロセス：上記来場判定に基づいて上記広告媒体サイト内の会員ＩＤに対する広告報酬量を更新する。
【００６０】
また、上述した実施形態では、上記特定ＵＲＬをサーバ４０で作成するようにしていたが、その特定ＵＲＬをＲ／Ｗ６０内で作成して携帯端末１０へ通知させるようにしてもよい。
【産業上の利用可能性】
【００６１】
以上の詳細説明から明らかなように、この発明は、つぎの事項（11）〜（16）により特定されるコンピューター情報処理の方法として捉えることができる。
（11）インターネット上のアフィリエイトサーバーが、利用者の携帯端末、広告媒体サイト、広告主サイト、ＩＣカード読取装置（以下、Ｒ／Ｗ）と連携して実行するコンピューター情報処理の方法であること
（12）前記Ｒ／Ｗは、広告主指定場所に設置されていて、利用者の携帯端末に搭載された非接触式のＩＣカードと通信可能であること
（13）第１プロセスでは、携帯端末が広告掲載サイトにアクセスして広告バナーをクリックした際、携帯端末を広告主サイトにリダイレクトして広告主サイトから携帯端末に前記広告主指定場所に関する情報を送信させるととともに、前記携帯端末のＩＤ（以下、端末ＩＤ）を前記広告媒体サイトの識別子と前記広告主サイトの識別子およびアクセス日時と対応づけしたデータを第１プロセス記録として保存すること
（14）第２プロセスでは、前記Ｒ／Ｗが利用者の携帯端末のＩＣカードと通信して当該ＩＣカードのＩＤ（以下、カードＩＤ）を読み取った際、当該カードＩＤと当該Ｒ／ＷのＩＤ（以下、リーダＩＤ）とアクセス日時を対応づけしたデータを第２プロセス記録として保存するとともに、当該カードＩＤと当該リーダＩＤをパラメータとして付加してなる特定ＵＲＬを前記Ｒ／Ｗから前記携帯端末に送信させること
（15）第３プロセスでは、前記特定ＵＲＬを受信した携帯端末がその特定ＵＲＬにアクセスした際、当該携帯端末の端末ＩＤを前記カードＩＤおよび前記リーダＩＤとともに取得し、これら端末ＩＤとカードＩＤとリーダＩＤとアクセス日時を対応づけしたデータを第３プロセス記録として保存すること
（16）第４プロセスでは、第３プロセス記録と第２プロセス記録を照合し、カードＩＤとリーダＩＤの組み合わせが一致する記録が存在し、かつ、第３プロセス記録のアクセス日時のほうが新しい場合、その第３プロセス記録を妥当な第３プロセス記録として抽出し、この妥当な第３プロセス記録と第１プロセス記録を照合し、当該第３アクセス記録よりアクセス日時が古くて端末ＩＤが一致する第１プロセス記録が存在する場合、当該端末ＩＤの携帯端末の利用者が当該第１プロセス記録中の広告媒体サイトにて前記広告バナーをクリックした後に前記広告主指定場所に来場したものと判定し、この来場判定に基づいて前記広告媒体サイトに対する広告報酬量を更新すること
【図面の簡単な説明】
【００６２】
【図１】本発明の一実施形態をなす携帯アフィリエイト・トラッキングシステムの概略構成示すブロック図である。
【図２】図１に示したシステムの動作概要を示すフローチャートである。
【図３】本発明のシステムに用いられるＲ／Ｗの実施形態を示すブロック図である。
【符号の説明】
【００６３】
１０  携帯端末
１１  携帯端末機能
１２  ブラウザ機能
１５  ＩＣカード
２１  インターネット
３１  広告媒体サイト（提携サイト）
３２  広告バナー
４０  アフィリエイトサーバ
５１  広告主側ウェブサイト（広告）
５１  広告主側ウェブサイト（来場確認）
６０  Ｒ／Ｗ（ＩＣカード読取装置）
６１  非接触読取部
６３  ウェブ・インターフェイス
ＩＤｍ  端末ＩＤ
ＩＤｃ  カードＩＤ
ＩＤｒ  リーダＩＤ
【図１】
0005210707.tif 000002
【図２】
0005210707.tif 000003
【図３】
0005210707.tif 000004